(57)【要約】【課題】排水作業が極めて容易な給湯装置を提供する。【解決手段】水を収容すると共にヒータ６で加熱される加熱容器５と、加熱容器５内の湯を出湯口１２に送出するポンプ１４と、ポンプ１４に連通すると共に加熱容器５内の湯を取り入れる第１の取水管１５と第２の取水管１６を設け、第１の取水管１５の開口１７の位置を、加熱容器５底部に給水される冷たい水の影響を受けない高さに設定し、第２の取水管１６の開口１８を、第１の取水管１５のそれより低い加熱容器５底面に近づけた位置に設け、第１、第２の取水管１５、１６を択一的に選択する弁体３０を配したもので、通常は第１の取水管１５を弁体３０によって選択することで、給水中も高温の湯が取り出すことができ、加熱容器５の湯又は水を排水する際には、第２の取水管１６を弁体３０によって選択することによって排水が簡便に行なえるのである。【選択図】図１
2005331170.tif 000002
【特許請求の範囲】
【請求項１】
水を収容すると共に加熱手段で加熱される加熱容器と、湯を吐出する出湯口と、前記加熱容器内の湯を出湯経路を介して前記出湯口に送出する導出手段とを備え、前記導出手段に連通すると共に前記加熱容器内に臨み前記加熱容器内の湯を取り入れる第１の取水管と第２の取水管を設け、前記第１の取水管と前記第２の取水管のそれぞれの開口を異なる位置に設けるとともに、前記第１、第２の取水管を択一的に選択する弁体を配した給湯装置。
【請求項２】
水を収容すると共に加熱手段で加熱される加熱容器と、湯を吐出する出湯口と、前記加熱容器内の湯を出湯経路を介して前記出湯口に送出する導出手段と、前記導出手段に連通すると共に前記加熱容器内に臨み前記加熱容器内の湯を取り入れる取水管を備え、前記取水管の開口位置を上下に移動自在とした給湯装置。
【請求項３】
取水管に、上端が開口し加熱容器内の液面の変動に連動して上下に移動する略円筒状の浮遊体を配した請求項２に記載の給湯装置。
【請求項４】
水を収容すると共に加熱手段で加熱される加熱容器と、湯を吐出する出湯口と、前記加熱容器内の湯を出湯経路を介して前記出湯口に送出する導出手段と、前記導出手段に連通すると共に前記加熱容器内に臨み前記加熱容器内の湯を取り入れる取水管を設け、前記取水管の上端に配した第１の開口よりも下方に第２の開口を形成し、前記第２の開口を開閉する弁体を配した給湯装置。
【請求項５】
取水管上方に加熱容器内の液面の変動に連動して上下に移動する浮遊体を配し、液面が下降した時に前記浮遊体に連動して弁体が開成するようにした請求項４に記載の給湯装置。
【請求項６】
水を収容すると共に加熱手段で加熱される加熱容器と、湯を吐出する出湯口と、前記加熱容器内の湯を出湯経路を介して前記出湯口に送出する導出手段とを備え、前記導出手段に連通すると共に前記加熱容器内に臨み前記加熱容器内の湯を取り入れる取水管を備え、前記取水管を略鉛直上方に伸長させて形成するともに、前記取水管を上方から覆い、下端と前記加熱容器底面との間に隙間を持たせた略円筒状のキャップを配し、前記取水管の外面と前記キャップの内面との間に略円筒状の空間を形成した給湯装置。
【発明の詳細な説明】
【技術分野】
【０００１】
本発明は、一般家庭の台所や業務用の厨房等で使用される給湯装置に関するものである。
【背景技術】
【０００２】
従来この種の給湯装置は、キッチンユニット内に組み込まれた加熱ユニットを構成する容器内に、水道水を供給し、容器の底部に取付けられたヒータによって容器内の水を加熱・保温して、必要な時にキッチンユニット上部に設けられた水栓の操作によって容器内の湯を、内蔵されたポンプによって汲み上げて使用するものであり、給水中も高温の湯が取り出せるよう、ポンプの取水管は、その開口が容器の底面より少し高い位置になるように、設けられている。
【０００３】
このため、ポンプによる排水だけでは、多くの水が残ってしまうため容器の最底部に連通したドレンにより排水する構成となっている（例えば、特許文献１参照）。
【０００４】
また、別な構成として、排水を排水管に直接流すものもある。
【特許文献１】特開２００２−１９５６５２号公報
【発明の開示】
【発明が解決しようとする課題】
【０００５】
しかしながら、上記従来の構成では、容器がキッチンユニット内に設置されているため、ドレンによる排水を行なう都度、キッチンユニット内の収納品をかたづけて行なわなければならないという面倒さがあった。
【０００６】
本発明は、前記従来の課題を解決するもので、容器への給水中も高温の湯が取り出せる給湯器において、排水の都度キッチンユニット内の収納品をかたづける等の面倒な作業が不要で、手軽に排水が行なえる給湯装置を提供することを目的とする。
【課題を解決するための手段】
【０００７】
前記従来の課題を解決するために、本発明の給湯装置は、水を収容すると共に加熱手段で加熱される加熱容器と、湯を吐出する出湯口と、前記加熱容器内の湯を出湯経路を介して前記出湯口に送出する導出手段とを備え、前記導出手段に連通すると共に前記加熱容器内に臨み前記加熱容器内の湯を取り入れる第１の取水管と第２の取水管を設け、前記第１の取水管と前記第２の取水管のそれぞれの開口を異なる位置に設けるとともに、前記第１、第２の取水管を択一的に選択する弁体を配したもので、例えば第１の取水管の開口の位置を、加熱容器底部に給水される冷たい水の影響を受けない高さに設定し、第２の取水管の開口の位置を、第１の取水管のそれより低い、加熱容器底面に極力近づけた位置に設けるようにすれば、通常の使用時に、弁体で第１の取水管を選択して導出手段を運転することによって、給水中も高温の湯が取り出すことができ、また、加熱容器内の湯又は水を排水する際には、弁体で第２の取水管を選択して導出手段を運転することによって排水が簡便に行なえるものである。
【０００８】
また、本発明の給湯装置は、水を収容すると共に加熱手段で加熱される加熱容器と、湯を吐出する出湯口と、前記加熱容器内の湯を出湯経路を介して前記出湯口に送出する導出手段と、前記導出手段に連通すると共に前記加熱容器内に臨み前記加熱容器内の湯を取り入れる取水管を備え、前記取水管の開口位置を上下に移動自在としたもので、通常の使用時は、取水管の開口位置を上側に位置させた状態で導出手段を運転することによって、給水中も高温の湯が取り出すことができ、また、加熱容器内の湯又は水を排水する際には開口位置を下側に位置させた状態で導出手段を運転することによって排水が簡便に行なえるものである。
【０００９】
また、本発明の給湯装置は、水を収容すると共に加熱手段で加熱される加熱容器と、湯を吐出する出湯口と、前記加熱容器内の湯を出湯経路を介して前記出湯口に送出する導出手段と、前記導出手段に連通すると共に前記加熱容器内に臨み前記加熱容器内の湯を取り入れる取水管を設け、前記取水管の上端に配した第１の開口よりも下方に第２の開口を形成し、前記第２の開口を開閉する弁体を配したもので、通常の使用時は、弁体により第２の開口を閉じた状態にして導出手段を運転することによって、給水中も高温の湯が取り出すことができ、また、加熱容器内の湯又は水を排水する際には第２の開口を開いた状態で導出手段を運転することによって排水が簡便に行なえるものである。
【００１０】
また本発明の給湯装置は、水を収容すると共に加熱手段で加熱される加熱容器と、湯を吐出する出湯口と、前記加熱容器内の湯を出湯経路を介して前記出湯口に送出する導出手段とを備え、前記導出手段に連通すると共に前記加熱容器内に臨み前記加熱容器内の湯を取り入れる取水管を備え、前記取水管を略鉛直上方に伸長させて形成するともに、前記取水管を上方から覆い、下端と前記加熱容器底面との間に隙間を持たせた略円筒状のキャップを配し、前記取水管の外面と前記キャップの内面との間に略円筒状の空間を形成したもので、取水管の開口位置よりも下側にある残水も、円筒状の空間をいわゆるサイフォン現象によって導出手段に送ることができ、排水操作の簡便化が図れるものである。
【発明の効果】
【００１１】
本発明の給湯装置は、容器への給水中も高温の湯が取り出せる給湯器において、排水の都度キッチンユニット内の収納品をかたづける等の面倒な作業が不要で、手軽に排水が行なえると共に、加熱容器内の洗浄も手軽に行なうことができる。
【発明を実施するための最良の形態】
【００１２】
第１の発明は、水を収容すると共に加熱手段で加熱される加熱容器と、湯を吐出する出湯口と、前記加熱容器内の湯を出湯経路を介して前記出湯口に送出する導出手段とを備え、前記導出手段に連通すると共に前記加熱容器内に臨み前記加熱容器内の湯を取り入れる第１の取水管と第２の取水管を設け、前記第１の取水管と前記第２の取水管のそれぞれの開口を異なる位置に設けるとともに、前記第１、第２の取水管を択一的に選択する弁体を配したもので、例えば第１の取水管の開口の位置を、加熱容器底部に給水される冷たい水の影響を受けない高さに設定し、第２の取水管の開口の位置を、第１の取水管のそれより低い、加熱容器底面に極力近づけた位置に設けるようにすれば、通常の使用時に、弁体で第１の取水管を選択して導出手段を運転することによって、給水中も高温の湯が取り出すことができ、また、加熱容器内の湯又は水を排水する際には、弁体で第２の取水管を選択して導出手段を運転することによって排水が簡便に行なえるものである。
【００１３】
第２の発明は、水を収容すると共に加熱手段で加熱される加熱容器と、湯を吐出する出湯口と、前記加熱容器内の湯を出湯経路を介して前記出湯口に送出する導出手段と、前記導出手段に連通すると共に前記加熱容器内に臨み前記加熱容器内の湯を取り入れる取水管を備え、前記取水管の開口位置を上下に移動自在としたもので、通常の使用時は、取水管の開口位置を上側に位置させた状態で導出手段を運転することによって、給水中も高温の湯が取り出すことができ、また、加熱容器内の湯又は水を排水する際には開口位置を下側に位置させた状態で導出手段を運転することによって排水が簡便に行なえるのである。
【００１４】
第３の発明は、特に、第２の発明の取水管に、上端が開口し加熱容器内の液面の変動に連動して上下に移動する略円筒状の浮遊体を配したもので、取水管の開口位置を上下に移動させるための駆動機構が不要で、機器の構造を簡素化できるものである。
【００１５】
第４の発明は、水を収容すると共に加熱手段で加熱される加熱容器と、湯を吐出する出湯口と、前記加熱容器内の湯を出湯経路を介して前記出湯口に送出する導出手段と、前記導出手段に連通すると共に前記加熱容器内に臨み前記加熱容器内の湯を取り入れる取水管を設け、前記取水管の上端に配した第１の開口よりも下方に第２の開口を形成し、前記第２の開口を開閉する弁体を配したもので、通常の使用時は、弁体により第２の開口を閉じた状態にして導出手段を運転することによって、給水中も高温の湯が取り出すことができ、また、加熱容器内の湯又は水を排水する際には第２の開口を開いた状態で導出手段を運転することによって排水が簡便に行なえるものである。
【００１６】
第５の発明は、特に、第４の発明の取水管上方に加熱容器内の液面の変動に連動して上下に移動する浮遊体を配し、液面が下降した時に前記浮遊体に連動して弁体が開成するようにしたもので、弁体の開閉の駆動を加熱容器内で完結させることができるので、駆動機構部の水密性を必要としない為、組み立てが容易でしかも給湯装置の信頼性が向上する。
【００１７】
第６の発明は、水を収容すると共に加熱手段で加熱される加熱容器と、湯を吐出する出湯口と、前記加熱容器内の湯を出湯経路を介して前記出湯口に送出する導出手段とを備え、前記導出手段に連通すると共に前記加熱容器内に臨み前記加熱容器内の湯を取り入れる取水管を備え、前記取水管を略鉛直上方に伸長させて形成するともに、前記取水管を上方から覆い、下端と前記加熱容器底面との間に隙間を持たせた略円筒状のキャップを配し、前記取水管の外面と前記キャップの内面との間に略円筒状の空間を形成したもので、取水管の開口位置よりも下側にある残水も、円筒状の空間をいわゆるサイフォン現象によって導出手段に送ることができ、排水操作の簡便化が図れるのである。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における給湯装置がキッチンユニットに組込まれた状態を示す断面図、図２は、同給湯装置の要部断面図（通常使用時）、図３は、同給湯装置の要部断面図（排水時）である。
【００２０】
キッチンユニット１内に配された水道管２は、チーズ３によって分岐されている。給湯装置の加熱ユニット本体４の内部には水道水を収容して加熱する加熱容器５が配されている。加熱容器５の底部には、収容した水道水を加熱するための加熱手段であるヒータ６及び、加熱容器５内の水温を検知するための温度検知手段である湯温センサ７が取付けられており、制御回路８によって湯温センサ７からの温度情報を取り込んでヒータ６をＯＮ−ＯＦＦ制御することによって湯沸かし及び所定の水温での保温を行なう。
【００２１】
加熱容器５への給水の制御は給水弁９によって行なわれ、水道水は給水ホース１０からなる給水経路を介して加熱容器５内へ給水される。加熱容器５と、キッチンユニット１上面に設置された吐出ユニット１１に配された出湯口１２とを連通する出湯経路１３の途中には、加熱容器５内の湯を送出する導出手段であるポンプ１４が配されており、その取水管は、第１の取水管１５及び第２の取水管１６の２本から形成されており、第１の取水管１５の上端の開口１７及び第２の取水管１６の上端の開口１８は、意図的に第１の取水管１５の開口１７の方が高い位置になるように設けられている。通常の使用時は第１の取水管１５を使用して加熱容器５内の湯を導出する。ポンプ１４の内部構造の概略については後述する。
【００２２】
加熱容器５内の水位の検知は、その側面に取付けられた水位検知手段１９で行なわれる。水位検知手段１９は導電性材質からなるコモン電極棒２０をはじめとする複数の電極棒を有しており、加熱容器５内の水面の昇降によって、コモン電極棒２０と水を介して電気的な接続の有無、つまりコモン電極棒２０と各電極棒間に流れる電流の変化を制御回路８で判断することによって水位を検知する。
【００２３】
加熱容器５内には、給水を一時的に貯めて、徐々に水を投入するための給水バッファ２１が配されており、水受け部２２とそれに接合されている滴下パイプ２３から構成されており、給水された水道水は一旦水受け部２２に貯められた後、滴下パイプ２３を通って加熱容器５の底部に徐々に投入される。滴下パイプ２３下端の開口２４の位置は、第１の取水管１５の開口１７の位置よりも低い位置に設定してある。
【００２４】
また、吐出ユニット１１には、ポンプ１４を外部操作、即ち使用者による操作で運転するための出湯スイッチ２５及び、出湯スイッチ２５の動作を電気的あるいは機械的にロックするロック手段２６が設けてあり、この場合、このロックを解除した後に出湯スイッチ２５を操作して、ポンプ１４を運転して、加熱容器５内の湯を導出する。
【００２５】
図２において、第１の取水管１５及び第２の取水管１６は各々ポンプ１４のポンプ室２７と連通しており、各々のポンプ室２７側の開口２８、２９は、ポンプ室２７に配された弁体３０によって閉塞または開放がなされる位置、形状になっており、弁体３０の動作によって第１の取水管１５及び第２の取水管１６が択一的に選択できるようになっている。
【００２６】
ここで図２は、弁体３０によって第２の取水管１６側の開口２９が閉塞され、第１の取水管１５が選択されている。図３は逆に、弁体３０によって第１の取水管１５側の開口２８が閉塞された状態で、第２の取水管１６が選択されている。
【００２７】
これらの、弁体３０による第１、第２の取水管１５、１６の選択は、図１に示す吐出ユニット１１に配された切替えスイッチ３１を操作することにより行なわれる。
【００２８】
以上のように構成された給湯装置について、以下その動作、作用を説明する。
【００２９】
通常使用においては、図２のように第１の取水管１５が選択された状態にあり、前述のように滴下パイプ２３下端の開口２４の位置は、第１の取水管１５端部の開口１７の位置よりも低い位置に設定してあるため、保温中或いは湯沸かし中の湯の導出と、給水とが同時期であっても、ポンプ１４が、給水されたばかりの冷たい水を吸い込むことが殆どないため、湯を使いながら湯沸かしすることが実使用上問題なく行なえるので、待ち時間を殆どなくすことができる。
【００３０】
加熱容器５内の湯又は水を排水する場合には、切替えスイッチ３１を操作して弁体３０を動作させ、ポンプ室２７の第１の取水管１５側の開口２８が閉塞された状態、即ち第２の取水管１６が選択された状態にした後、出湯スイッチ２５を操作して、ポンプ１４を運転して、加熱容器５内の湯を導出すれば、加熱容器５内の残水（残湯）を殆ど排出でき、従来のように、排水の都度キッチンユニット１内の収納品をかたづける等の面倒な作業の必要がなく、さらに、加熱容器５内の洗浄も手軽に行なうことができる。
【００３１】
（実施の形態２）
図４、図５は、本発明の第２の実施の形態における給湯装置の要部断面図である。なお上記実施の形態と同一部分に付いては、同一符号を付してその説明を省略する。
【００３２】
本実施の形態は、加熱容器５内の湯を導出するポンプ６０の吸い込み口３２に、略円筒状の取水管３３を上下方向に移動自在に配したものである。
【００３３】
取水管３３は、水よりも比重の軽い材料で形成されており、加熱容器５内の湯中に浮遊し、液面の変動に連動して上下に移動するようになっている。図４のように、加熱容器５内の湯が所定量以上ある時には、取水管３３は、その下端部に形成された鍔部３４が、ポンプ６０の吸い込み口３２上部のストッパー部３５に当接して一定の位置を保つ用にしている。即ち、その取水管３３の上下の移動範囲の上限位置にある。取水管３３の天面には、開口３６が、側面には開口３７ａ、３７ｂがそれぞれ形成されており、この状態での前記複数個形成されている開口のうちの最下位置ｃは、滴下パイプ２３下端の開口２４よりも高い位置にある。
【００３４】
これにより、第１の実施の形態と同様、ポンプ６０が、給水されたばかりの冷たい水を吸い込むことが殆どないため、湯を使いながら湯沸かしすることが実使用上問題なく行なえる。加熱容器内５の湯を連続して導出して、液面と連動して取水管３３が下降し、滴下パイプ２３より加熱容器５底部に給水される冷たい水が、出湯温度に影響を与える前に、水位検知手段１９で検知してポンプ６０の運転を強制停止するとともに、所定の温度の湯が準備できていない旨の報知をする等によって、使用者が望まない低い温度の湯を誤って使うのを防止できる。
【００３５】
加熱容器５内の湯又は水を排水する場合には、切替えスイッチ３１に上記の強制停止及び報知機能を働かせないようにする切替え機能を付加し、これを切り替えることによって最後まで出湯させるようにしてやれば、図５に示すように、取水管３３が下限位置まで降下した状態になるまで排水を行なうことができる。
【００３６】
（実施の形態３）
図６及び図７は、本発明の第３の実施の形態における給湯装置の要部断面図である。なお上記実施の形態と同一部分に付いては、同一符号を付してその説明を省略する。
【００３７】
本実施の形態は、加熱容器５内の湯を導出するポンプ３８に、加熱容器５内に臨み、略鉛直上方に伸長した取水管３９を形成し、その上端には第一の開口４０を、加熱容器５底面近くの途中に第２の開口４１を形成している。第２の開口４１近傍には、第２の開口４１と取水管３９との連通を遮断もしくは開放する弁体４２が配されている。
【００３８】
通常の使用時には、図６のように、弁体４２によって第２の開口４１と取水管３９との連通を遮断した状態にしてポンプ３８を運転することによって給水中も高温の湯が取り出すことができる。
【００３９】
また、加熱容器５内の湯又は水を排水する際には、図示しない外部操作のスイッチ等によって弁体４２を動作させ、図７に示すように、弁体４２を動作させて第２の開口４１と取水管３９とが連通した状態にして、ポンプ３８を運転することによって排水が簡便に行なえるのである。
【００４０】
（実施の形態４）
図８及び図９は、本発明の第４の実施の形態における給湯装置の要部断面図である。なお上記実施の形態と同一部分に付いては、同一符号を付してその説明を省略する。
【００４１】
本実施の形態は、加熱容器５内の湯を導出するポンプ４３に、加熱容器５内に臨み、略鉛直上方に伸長した上面開口の取水管４４を形成し、その上端には第一の開口４５が、加熱容器５底面近くの途中には第２の開口４６がそれぞれ形成されている。
【００４２】
その上方には水よりも比重の軽い材料から成り、加熱容器５内の液面の変動に連動して上下に移動する浮遊体４７が、一定の上下範囲において移動自在に配されている。浮遊体４７の側面に開口４８ａ、４８ｂ及び下部にピン部４９が形成されている。取水管４４には、第２の開口４６を開閉する弁体５０が回動自在に配され、図８に示すように加熱容器５内に所定量以上の湯がある状態においては、浮遊体４７は移動範囲の上限に位置し、そのピン部４９は弁体５０に形成された突起５１に接触しておらず、弁体５０は自由状態であり、この状態においては第２の開口４６を塞ぐ位置にある。
【００４３】
従って、この状態即ち、加熱容器５内に所定量以上の湯がある状態においてはポンプ４３は第１の開口４５のみから湯を吸い込むので、給水中も高温の湯を取り出すことができる。
【００４４】
また、加熱容器５内の湯又は水を排水する際には、図９に示すように、ポンプ４３の運転を続けていき加熱容器５の液面が降下するにつれて浮遊体４７も下方に移動して、ピン部４９が弁体５０の突起５１を押圧して弁体５０を回動させ、その結果弁体５０は第２の開口４６を開成する。
【００４５】
これによってポンプ４３は第２の開口４６から湯を吸い込むので残水が殆どない状態まで排水することができる。また、この構成であれば弁体５０の開閉の駆動を加熱容器５内で完結させることができるので、駆動機構部の水密性を必要としない為、給湯装置の信頼性が向上する。
【００４６】
（実施の形態５）
図１０及び図１１は、本発明の第５の実施の形態における給湯装置の要部断面図である。なお上記実施の形態と同一部分に付いては、同一符号を付してその説明を省略する。
【００４７】
本実施の形態は、加熱容器５内の湯を導出するポンプ５２に、加熱容器５内に臨み、略鉛直上方に伸長し、上面に開口５３を形成した取水管５４を形成し、取水管５４の加熱容器５内に臨む部分には、上方よりその部分を覆う略円筒状のキャップ５５を配している。
【００４８】
キャップ５５の取付状態において、取水管５４の外面とキャップ５５の内面とにより略円筒状の空間５６が形成されている。
【００４９】
ここで、略円筒状の空間５６により形成される湯の通路の断面積は、取水管５４の天面の開口５３の面積よりも十分小さく設定してある。
【００５０】
図１０に示すように加熱容器５内に所定量以上の湯がある状態においては、ポンプ５２を運転した場合、殆どが開口５３より吸い込まれるため、給水中も高温の湯が取り出すことができる。
【００５１】
また、加熱容器５内の湯又は水を排水する際には、図１１に示すように、ポンプ５２の運転を続けていき加熱容器５の液面が降下して開口５３より下になった際には、残水は略円筒状の空間５６を、いわゆるサイフォン現象によってポンプ５２に送ることができ、これによって残水が殆どない状態まで排水することができる。
【産業上の利用可能性】
【００５２】
以上のように、本発明にかかる給湯装置は、容器への給水中も高温の湯が取り出せる給湯器において、本体に内蔵された導出手段により排水できるので、キッチンユニット内の事前の面倒な片付け作業が不要で、手軽に排水が行なえ、さらには、加熱容器内の洗浄も手軽に行なうことができるので、据え置き型の給湯装置、あるいは、その他の建造物などに組み込むような給湯機器にも適用できる。
【図面の簡単な説明】
【００５３】
【図１】本発明の実施の形態１における給湯装置がキッチンユニットに組み込まれた状態を示す断面図
【図２】同給湯装置の通常使用時の要部断面図
【図３】同給湯装置の排水時の要部断面図
【図４】本発明の実施の形態２における給湯装置の通常使用時の要部断面図
【図５】同給湯装置の排水時の要部断面図
【図６】本発明の実施の形態３における給湯装置の通常使用時の要部断面図
【図７】同給湯装置の排水時の要部断面図
【図８】本発明の実施の形態４における給湯装置の通常使用時の要部断面図
【図９】同給湯装置の排水時の要部断面図
【図１０】本発明の実施の形態５における給湯装置の通常使用時の要部断面図
【図１１】同給湯装置の排水時の要部断面図
【符号の説明】
【００５４】
５  加熱容器
６  ヒータ（加熱手段）
１１  吐出ユニット
１２  出湯口
１３  出湯経路
１４、３８、４３、５２、６０  ポンプ（導出手段）
１５  第１の取水管
１６  第２の取水管
１７、１８  開口
３０、４２、５０  弁体
３２  吸い込み口
３３、３９、４４、５４  取水管
４０、４５  第１の開口
４１、４６  第２の開口
４７  浮遊体
４９  ピン部
５１  突起
５３  開口
５５  キャップ
５６  円筒状の空間
【図１】
2005331170.tif 000003
【図２】
2005331170.tif 000004
【図３】
2005331170.tif 000005
【図４】
2005331170.tif 000006
【図５】
2005331170.tif 000007
【図６】
2005331170.tif 000008
【図７】
2005331170.tif 000009
【図８】
2005331170.tif 000010
【図９】
2005331170.tif 000011
【図１０】
2005331170.tif 000012
【図１１】
2005331170.tif 000013